(57)【要約】【課題】暗くて狭い場所でも視覚的により容易に、破損しているか若しくは交換すべきか否かを確認することができる支承装置を提供する。【解決手段】本発明の支承装置は、色彩による視認の可否の変化によって、所定以上の荷重の作用及び／又は所定以上の変位の発生である過大入力の有無を判別可能とする判別部を備えることを特徴とする。このような特徴は、例えば、（１）他の部分とは色彩が異なり、常時は実質的に視認不可能であり、過大入力発生時に視認可能となる予着色部を設けること（２）他の部分とは色彩が異なり、常時は実質的に視認可能であり、過大入力発生時に視認不可能となる予着色部を設けること（３）色素を収容する色素収容部を設け、過大入力発生時に色素収容部から流出した色素により流出前とは異なる色彩に着色された部分である着色部を形成することにより実現される。【選択図】図１
2018111999.tif 000002
【特許請求の範囲】
【請求項１】
色彩による視認の可否の変化によって、所定以上の荷重の作用及び／又は所定以上の変位の発生である過大入力の有無を判別可能とする判別部を備える支承装置。
【請求項２】
前記判別部は、他の部分とは色彩が異なり、常時は実質的に視認不可能であり、過大入力発生時に視認可能となる予着色部であることを特徴とする請求項１に記載の支承装置。
【請求項３】
過大入力発生時に予着色部自体が変位又は変形することにより視認可能となることを特徴とする請求項２に記載の支承装置。
【請求項４】
上部構造物に固定される上沓と、
下部構造物に固定される下沓と、
前記上沓と前記下沓の間に配置される弾性体と、
前記弾性体の周囲に配置され前記弾性体を囲繞する囲繞体とを備え、
常時においては、前記囲繞体の上面が前記上沓の下面に当接し乃至は微少な間隙を有するように固定され、前記囲繞体の下面と前記下沓の上面との間には間隙を有し、
過大入力発生時において、前記囲繞体が変位し、前記上沓の下面と前記囲繞体の上面との間に間隙が生じ或いは拡大し、前記囲繞体の下面と前記下沓の上面との間の間隙が狭くなることを特徴とする請求項３に記載の支承装置。
【請求項５】
前記囲繞体の上面に一体又は別体によって設けられ、常時は前記上沓に形成された凹部に収容されている視認性向上部材を備え、
前記予着色部は、前記視認性向上部材に形成され、過大入力発生時に前記囲繞体と共に変位して視認可能となることを特徴とする請求項４に記載の支承装置。
【請求項６】
前記上沓に固定され、前記囲繞体の外周面の一部を遮蔽する遮蔽部材を備え、
前記予着色部は、前記囲繞体の外周面の前記遮蔽部材により遮蔽される部分に形成され、過大入力発生時に前記囲繞体と共に変位して視認可能となることを特徴とする請求項４に記載の支承装置。
【請求項７】
上部構造物に固定される上沓と、
下部構造物に固定される下沓と、
前記上沓と前記下沓の間に配置され、前記上部構造物を支持する弾性体と、
前記上沓と前記弾性体との接合部に配置され、板状部材が複数積層された視認性向上部材を備え、
前記予着色部は前記板状部材に形成され、過大入力発生時に前記視認性向上部材が前記弾性体により押圧されることにより前記板状部材同士が相対的に変位することにより、前記予着色部が視認可能となることを特徴とする請求項３に記載の支承装置。
【請求項８】
前記板状部材は隣接する前記板状部材と係合し、前記上沓と前記下沓の相対変位方向と平行な方向に延在する係合部を備え、
前記予着色部は、前記板状部材の上面に形成され、
過大入力発生時に前記係合部に沿って前記板状部材同士が相対的に変位することを特徴とする請求項７に記載の支承装置。
【請求項９】
前記板状部材は隣接する前記板状部材の外側面を遮蔽する遮蔽部材を備え、
前記予着色部は、前記板状部材の前記外側面に形成され、
過大入力発生時に前記遮蔽部材が変形又は脱落することにより前記予着色部が視認可能となることを特徴とする請求項７に記載の支承装置。
【請求項１０】
前記予着色部は、過大入力発生時に他の部材が変形又は変位することにより視認可能となることを特徴とする請求項２に記載の支承装置。
【請求項１１】
上部構造物に固定される上沓と、
下部構造物に固定される下沓と、
前記上沓と前記下沓の間に配置される弾性体と、
前記弾性体の周囲に配置され前記弾性体を囲繞する囲繞体とを備え、
常時においては、前記囲繞体の上面が前記上沓の下面に当接し乃至は微少な間隙を有するように固定され、前記囲繞体の下面と前記下沓の上面との間には間隙を有し、
過大入力発生時には前記囲繞体が変位し、前記上沓の下面と前記囲繞体の上面との間に間隙が生じ或いは拡大し、前記囲繞体の下面と前記下沓の上面との間の間隙が狭くくなることを特徴とする請求項１０に記載の支承装置。
【請求項１２】
前記予着色部は、前記弾性体の外周面に形成され、過大入力発生時に前記囲繞体が変位することにより視認可能となることを特徴とする請求項１１に記載の支承装置。
【請求項１３】
前記上沓は、その下面から下方に突出し常時には前記囲繞体の内部に収容される突出部を備え、
前記予着色部は、前記突出部の外周面に形成され、過大入力発生時に前記囲繞体が変位することにより視認可能となることを特徴とする請求項１１に記載の支承装置。
【請求項１４】
前記上沓と前記囲繞体の間に常時には圧縮された状態で固定された伸張体を備え、
前記予着色部は前記伸張体に形成され、過大入力発生時に前記囲繞体が変位することにより前記伸張体が伸張して視認可能となることを特徴とする請求項１１に記載の支承装置。
【請求項１５】
他の部分とは色彩が異なり、常時は視認可能であり、過大入力発生時に視認不可能となる予着色部を備えることを特徴とする請求項１に記載の支承装置。
【請求項１６】
上部構造物に固定される上沓と、
下部構造物に固定される下沓と、
前記上沓と前記下沓の間に配置される弾性体と、
前記弾性体を囲繞する囲繞体とを備え、
常時においては、前記囲繞体の上面が前記上沓の下面に当接し乃至は微少な間隙を有するように固定され、前記囲繞体の下面と前記下沓の上面との間には間隙を有し、
過大入力発生時には前記囲繞体が変位し、前記上沓の下面と前記囲繞体の上面との間に間隙が生じ或いは拡大し、前記囲繞体の下面と前記下沓の上面との間の間隙が狭くなることを特徴とする請求項１５に記載の支承装置。
【請求項１７】
前記弾性体と前記下沓の間に配置され前記弾性体を支持する芯材を備え、
前記予着色部は、前記芯材の外周面に形成され、過大入力発生時に前記囲繞体が変位することにより視認不可能となることを特徴とする請求項１６に記載の支承装置。
【請求項１８】
前記予着色部は反射性の材料を含む材料で形成されていることを特徴とする請求項２乃至請求項１７の何れか１項に記載の支承装置。
【請求項１９】
色素を収容する色素収容部を備え、
前記判別部は、過大入力発生時に前記色素収容部から流出した前記色素により流出前とは異なる色彩に着色された部分である着色部であることを特徴とする請求項１に記載の支承装置。
【請求項２０】
前記色素は、前記色素収容部が開封或いは破損することにより流出することを特徴とする請求項１９に記載の支承装置。
【請求項２１】
上部構造物に固定される上沓と、
下部構造物に固定される下沓と、
前記上沓と前記下沓の間に配置される弾性体と、
前記弾性体の周囲に配置され前記弾性体を囲繞する囲繞体とを備え、
常時においては、前記囲繞体の上面が前記上沓の下面に当接し乃至は微少な間隙を有するように固定され、前記囲繞体の下面と前記下沓の上面との間には間隙を有し、
過大入力発生時には前記囲繞体が変位し、前記上沓の下面と前記囲繞体の上面との間に間隙が生じ或いは拡大し、前記囲繞体の下面と前記下沓の上面との間の間隙が狭くなることを特徴とする請求項２０に記載の支承装置。
【請求項２２】
前記色素収容部は前記上沓に形成された凹部に収容され、前記上沓及び前記囲繞体の上面に固定され、
過大入力発生時に前記囲繞体の変位に伴って前記色素収容部の前記上沓との接合部分及び／又は前記囲繞体との接合部分が変形或いは破損することを特徴とする請求項２１に記載の支承装置。
【請求項２３】
前記色素収容部は、前記囲繞体の外周部の上部に配置され、前記上沓の下面と前記囲繞体の外周面に固定され、
過大入力発生時に前記囲繞体の変位に伴って前記色素収容部の前記囲繞体との接合部分が変形或いは破損することを特徴とする請求項２１に記載の支承装置。
【請求項２４】
前記色素収容部は前記囲繞体の下面と前記下沓の上面との間に配置され、
過大入力発生時に前記囲繞体により押圧されて圧壊することを特徴とする請求項２１に記載の支承装置。
【請求項２５】
前記下沓の上面に溝部が形成され、
前記着色部は前記溝部に形成されることを特徴とする請求項２４に記載の支承装置。
【請求項２６】
前記囲繞体の下面及び／又は前記下沓の上面に突起が形成され、
前記色素収容部は前記囲繞体の下面と前記下沓の上面との間に配置され、過大入力発生時に前記突起により押圧されて開封することを特徴とする請求項２１に記載の支承装置。
【請求項２７】
前記下沓の上面に突起が形成され、
前記色素収容部は前記囲繞体の下面に形成された凹部に収容され、過大入力発生時に前記突起により押圧されて開封することを特徴とする請求項２１に記載の支承装置。
【請求項２８】
前記囲繞体の下面に突起が形成され、
前記色素収容部は前記下沓の上面に形成された凹部に収容され、過大入力発生時に前記突起により押圧されて開封することを特徴とする請求項２１に記載の支承装置。
【請求項２９】
上部構造物に固定される上沓と、
下部構造物に固定される下沓と、
前記上沓と前記下沓の間に配置される弾性体とを備え、
前記色素収容部は、前記弾性体の周囲に配置されていることを特徴とする請求項２０に記載の支承装置。
【請求項３０】
前記色素収容部は、環状を成す壁面によって内外が画成された断面を有し、前記壁面には該壁面の厚みを薄肉化する切欠部が形成され、
所定以上の荷重が作用したとき及び／又は所定以上の変位が生じたとき、前記切欠部を起点として前記色素収容部が開封して色素が外部に洩出可能に構成されることを特徴とする請求項２９に記載の支承装置。
【請求項３１】
前記色素収容部には、前記上沓及び／又は前記下沓に対して固定可能な固定部が形成されていることを特徴とする請求項２９に記載の支承装置。
【請求項３２】
前記色素収容部は前記下沓の上面に配置され、
前記過大入力時に前記弾性体の外周面により押圧されて開封することを特徴とする請求項２９に記載の支承装置。
【請求項３３】
前記色素は、前記色素収容部に設けられた封止体が外れることにより流出することを特徴とする請求項１９に記載の支承装置。
【請求項３４】
上部構造物に固定される上沓と、
下部構造物に固定される下沓と、
前記上沓と前記下沓の間に配置される弾性体と、
前記弾性体を囲繞する囲繞体とを備え、
常時においては、前記囲繞体の上面が前記上沓の下面に当接し乃至は微少な間隙を有するように固定され、前記囲繞体の下面と前記下沓の上面との間には間隙を有し、
過大入力発生時には前記囲繞体が変位し、前記上沓の下面と前記囲繞体の上面との間に間隙が生じ或いは拡大し、前記囲繞体の下面と前記下沓の上面との間の間隙が狭くなることを特徴とする請求項３３に記載の支承装置。
【請求項３５】
前記色素収容部は、前記上沓に固定され、
前記封止体に一端が固定され前記囲繞体に他端が固定された接続部材を備え、
過大入力発生時に前記囲繞体の変位に伴って前記封止体が外れることを特徴とする請求項３４に記載の支承装置。
【請求項３６】
前記色素収容部は前記上沓の下面に形成された凹部に収容されていることを特徴とする請求項３５に記載の支承装置。
【請求項３７】
前記色素収容部は、前記囲繞体の外周部に配置されていることを特徴とする請求項３５に記載の支承装置。
【請求項３８】
前記色素収容部は、前記囲繞体の外周部上部に形成された切欠部に配置されていることを特徴とする請求項３５に記載の支承装置。
【請求項３９】
前記色素収容部は、前記囲繞体の上面に形成された凹部に配置され、
前記凹部の底面から前記囲繞体の外周面に貫通する貫通孔が形成されていることを特徴とする請求項３５に記載の支承装置。
【請求項４０】
前記色素は反射性の材料を含有していることを特徴とする請求項１９乃至請求項３９の何れか１項に記載の支承装置。
【発明の詳細な説明】
【技術分野】
【０００１】
本発明は支承装置に関し、更に詳しくは、許容範囲を超える大きさの外力が作用して破損が生じたことを、確実に把握できる支承装置に関するものである。
【背景技術】
【０００２】
ビル建物、住宅家屋を含む建築物や橋梁等の構造物を支持するために、様々なタイプの支承装置が用いられている。例えば、鋼板とゴム層を上下に積層した弾性体の外側を、筒状の囲繞体により覆った構造にした支承装置が提案されている（特許文献１参照）。この文献で提案されている支承装置は、弾性体の上端部に配置された上沓に対して囲繞体をボルト等の固定部材によって固定して吊り下げた状態にしている。この支承装置では、大地震等が発生して許容範囲を超える大きな外力が作用した際には、囲繞体を上沓に固定している固定部材が破損するように設定されている。それ故、固定部材が破損することにより、吊り下げた状態の囲繞体は落下する。従って、囲繞体の落下の有無に基づいて、支承装置に許容範囲を超える大きさの外力が作用して破損が生じているか否かを把握することができる。
【先行技術文献】
【特許文献】
【０００３】
【特許文献１】特開２０１３−６４４２６号公報
【発明の概要】
【発明が解決しようとする課題】
【０００４】
ところで、支承装置が設置されるのは、桁下などの暗くて狭い場所がほとんどであるので、引用文献１に記載の支承装置では、支承装置の破損を確認することが難しい場合があった。そこで、本発明では、暗くて狭い場所でも視覚的により容易に、破損しているか若しくは交換すべきか否かを確認することができる支承装置を提供することを目的とする。
【課題を解決するための手段】
【０００５】
本発明の支承装置は、色彩による視認の可否の変化によって、所定以上の荷重の作用及び／又は所定以上の変位の発生である過大入力の有無を判別可能とする判別部を備えることを特徴とする。
【発明の効果】
【０００６】
本発明によれば、暗くて狭い場所でも視覚によって容易に、破損しているか若しくは交換すべきか否かを確認することができる支承装置を提供することができる。
【図面の簡単な説明】
【０００７】
【図１】図１（Ａ）は第１実施形態の支承装置の常時の断面図、図１（Ｂ）は視認性向上部材の平面的配置を示す図である。
【図２】第１実施形態の支承装置の動作を説明する図であり、（Ａ）は常時の断面図、（Ｂ）は過大入力発生時の断面図である。
【図３】第１実施形態の支承装置の動作を説明する図であり、（Ａ）は常時の外観図、（Ｂ）は過大入力発生時の外観図である。
【図４】第２実施形態の支承装置の動作を説明する図であり、（Ａ）は常時の断面図、（Ｂ）は過大入力発生時の断面図である。
【図５】第２実施形態の支承装置の動作を説明する図であり、（Ａ）は常時の外観図、（Ｂ）は過大入力発生時の外観図である。
【図６】第３実施形態の支承装置の動作を説明する図であり、（Ａ）は常時の断面図、（Ｂ）は過大入力発生時の断面図である。
【図７】第３実施形態の支承装置の動作を説明する図であり、（Ａ）は常時の外観図、（Ｂ）は過大入力発生時の外観図である。
【図８】第４実施形態の支承装置の動作を説明する図であり、（Ａ）は常時の断面図、（Ｂ）は過大入力発生時の断面図である。
【図９】第４実施形態の支承装置の動作を説明する図であり、（Ａ）は常時の外観図、（Ｂ）は過大入力発生時の外観図である。
【図１０】第５実施形態の支承装置の動作を説明する図であり、（Ａ）は常時の断面図、（Ｂ）は過大入力発生時の断面図である。
【図１１】第５実施形態の支承装置の動作を説明する図であり、（Ａ）は常時の外観図、（Ｂ）は過大入力発生時の外観図である。
【図１２】第６実施形態の支承装置の動作を説明する図であり、（Ａ）は常時の断面図、（Ｂ）は過大入力発生時の断面図である。
【図１３】第６実施形態の支承装置の動作を説明する図であり、（Ａ）は常時の外観図、（Ｂ）は過大入力発生時の外観図である。
【図１４】第７実施形態の支承装置の動作を説明する図であり、（Ａ）は常時の断面図、（Ｂ）は過大入力発生時の断面図である。
【図１５】第７実施形態の支承装置の動作を説明する図であり、（Ａ）は常時の外観図、（Ｂ）は過大入力発生時の外観図である。
【図１６】第８実施形態の支承装置の動作を説明する図であり、（Ａ）は常時の断面図、（Ｂ）は過大入力発生時の断面図である。
【図１７】第８実施形態の支承装置の動作を説明する図であり、（Ａ）は常時の外観図、（Ｂ）は過大入力発生時の外観図である。
【図１８】第９実施形態の支承装置の動作を説明する図であり、（Ａ）は常時の断面図、（Ｂ）は過大入力発生時の断面図である。
【図１９】図１９（Ａ）、（Ｂ）は色素収容部の拡大断面図である。
【図２０】第９実施形態の支承装置の動作を説明する図であり、（Ａ）は常時の外観図、（Ｂ）は過大入力発生時の外観図である。
【図２１】図２１（Ａ）、（Ｂ）は第９実施形態の変形例を説明する図である。
【図２２】第１０実施形態の支承装置の動作を説明する図であり、（Ａ）は常時の断面図、（Ｂ）は過大入力発生時の断面図、（Ｃ）は変形例の常時の断面図、（Ｄ）は変形例の過大入力発生時の断面図である。
【図２３】第１１実施形態の支承装置の動作を説明する図であり、（Ａ）は常時の断面図、（Ｂ）は過大入力発生時の断面図である。
【図２４】第１１実施形態の支承装置の動作を説明する図であり、（Ａ）は常時の外観図、（Ｂ）は過大入力発生時の外観図である。
【図２５】下沓に形成された溝部の形状を示す図である。
【図２６】第１２実施形態の支承装置の動作を説明する図であり、（Ａ）は常時の断面図、（Ｂ）は過大入力発生時の断面図、（Ｃ）は常時の拡大断面図である。
【図２７】第１２実施形態の支承装置の動作を説明する図であり、（Ａ）は常時の外観図、（Ｂ）は過大入力発生時の外観図である。
【図２８】図２８（Ａ）、（Ｂ）は第１２実施形態の変形例を説明する図である。
【図２９】第１３実施形態の支承装置の断面図である。
【図３０】色素収容部の断面図である。
【図３１】色素収容部の平面的な配置を示す図であり、（Ａ）はサイドブロックがない場合の配置例、（Ｂ）はサイドブロックがある場合の配置例である。
【図３２】色素収容部の変形例を説明する図である。
【図３３】第１４実施形態の支承装置の動作を説明する図であり、（Ａ）は常時の断面図、（Ｂ）は過大入力発生時の断面図である。
【図３４】（Ａ）は色素収容部の常時の断面図、（Ｂ）は色素収容部の過大入力発生時の断面図である。
【図３５】色素収容部の平面的な配置を示す図であり、（Ａ）は全周にわたって配置する例、（Ｂ）は間隔をあけて配置する例、（Ｃ）はサイドブロックが配置されている例である。
【図３６】第１５実施形態の支承装置の動作を説明する図であり、（Ａ）は常時の断面図、（Ｂ）は過大入力発生時の断面図、（Ｃ）は視認性向上部材の平面的な配置を示す図である。
【図３７】（Ａ）は視認性向上部材の常時の断面図、（Ｂ）は視認性向上部材の過大入力発生時の断面図、（Ｃ）は（Ａ）のＸ−Ｘ線の断面図である。
【図３８】（Ａ）は視認性向上部材の変形例の常時の断面図、（Ｂ）は視認性向上部材の過大入力発生時の変形例の断面図である。
【図３９】（Ａ）は視認性向上部材の他の変形例の常時の断面図、（Ｂ）は視認性向上部材の他の変形例の過大入力発生時の断面図である。
【発明を実施するための形態】
【０００８】
本明細書では、「支承装置に設計で考慮した地震時の荷重等の所定の大きさ以上の荷重が作用したとき、及び／又は、設計で考慮した地震時の変位等の所定の大きさ以上の変位が生じたとき」を「過大入力発生時」といい、「過大入力発生時以外のとき」を「常時」という。また、支承装置の特定の部分を支承装置やその周囲にある物体を移動したり分解したりすることなく観察者が視覚により認識できる場合を「視認可能」といい、そうでない場合を「視認不可能」という。また、「色彩」とは色、柄、模様、図形、記号、文字、凹凸の何れか一つ、又は二つ以上の組み合わせをいう。
【０００９】
以下、本発明の種々の実施形態について説明するが、色彩による視認の可否の変化によって、所定以上の荷重の作用及び／又は所定以上の変位の発生である過大入力の有無を判別可能とする判別部を備えることが各実施形態が共通して有している特徴である。判別部を実現するための構成としては、大別すると
（１）他の部分とは色彩が異なり、常時は実質的に視認不可能であり、過大入力発生時に視認可能となる予着色部を設ける。
（２）他の部分とは色彩が異なり、常時は実質的に視認可能であり、過大入力発生時に視認不可能となる予着色部を設ける。
（３）色素を収容する色素収容部を設け、過大入力発生時に色素収容部から流出した色素により流出前とは異なる色彩に着色された部分である着色部を形成する。
の三つの構成が含まれている。
【００１０】
＜第１実施形態＞
本発明の第１実施形態である支承装置１０１について説明する。図１（Ａ）は、支承装置１０１の断面図である。
支承装置１０１は、橋桁等の上部構造物１と橋脚等の下部構造物２との間に設置される。支承装置１０１は、上沓１１と下沓１２との間に弾性体１３を挟んだ状態にした支承体と、筒状の囲繞体１６と、囲繞体１６を上沓１１に固定する固定部材１７とを備えている。上沓１１は上部構造物１に、例えば、上部プレート３を介してボルトによって固定されている。下沓１２は下部構造物２に、例えば、下部プレート５を介してボルトによって固定されている。なお、上部プレート３と下部プレート５を省略し上沓１１を上部構造物１に、下沓１２を下部構造物２にそれぞれ直接固定するようにしても良い。
【００１１】
支承装置１０１を可動支承装置として用いる場合は、上沓１１の上部、例えば上沓１１と上部プレート３との間に摺滑部材４を配設して、上部構造物１と支承装置１０１とを相対変位可能に固定しても良い。また、下沓１２の下部、例えば下沓１２と下部プレート５との間に摺滑部材６を配設して、下部構造物１と支承装置１０１とを相対変位可能に固定しても良い。
【００１２】
上沓１１及び下沓１２は金属等により形成された板状の剛体である。弾性体１３は、例えばゴム層１３ａと鋼板１３ｂとを上下に積層し、互いを加硫接着により一体化して構成されている。ゴム層１３ａ及び鋼板１３ｂの数は、支承装置１０１に対する要求性能等に基づいて決定される。鋼板１３ｂを設けずにゴム層１３ａのみで弾性体１３を構成することもできる。
【００１３】
この第１実施形態では、上沓１１及び下沓１２は平面視で四角形であるが、例えば、円形等にすることもできる。弾性体１３は、円形の鋼板１３ｂを複数備えた円柱形状であるが、例えば、四角柱状にすることもできる。弾性体３は、上沓１１及び下沓１２に接合して固定することもできるが、固定しない構成にすることもできる。
【００１４】
支承体は、弾性体１３、上沓１１及び下沓１２に加えて必要に応じて他の部品を備えて構成される。この実施形態では、弾性体１３と上沓１１との間に、上沓１１よりも薄い剛体の上プレート１３ｃが配置されている。また、弾性体１３と下沓１２との間に、下沓１２よりも薄い剛体の下プレート１３ｄが配置されている。
【００１５】
更に、この実施形態では、下方に突出した突出部２１ａとフランジ部２１ｂを有する剛体の芯材２１が、下プレート１３ｄと下沓１２の間に配置されている。突出部２１ａは下沓１２の上面に形成された凹部２３に嵌合して下沓１２に固定されている。
【００１６】
囲繞体１６は弾性体１３の外周側を覆う円筒形状であり、金属等によって形成された剛体である。囲繞体１６は、ボルト等の固定部材１７によって上沓１１に固定されて吊り下げた状態になっている。即ち、上沓１１の下面と囲繞体１６の上面は当接するか僅かな間隙を有する状態であり、吊り下げた状態の囲繞体１６の下面と下沓１２の上面との間には、間隙Ｃ１が存在している。固定部材１７は、予め設定した大きさ以上の外力（水平力や上揚力など）が作用した際に破損する設定になっている。従って、固定部材１７が破損すると、上沓１１から吊り下げた状態の囲繞体１６が変位し、上沓１１の下面と囲繞体１６の上面との間に間隙が生じ或いは拡大し、囲繞体１６の下面と下沓１２の上面との間の間隙Ｃ１は狭くなり或いは全くなくなる。
【００１７】
芯材２１のフランジ部２１ｂは、囲繞体１６の下端に設けられた上揚防止片２２と係合して支承装置１０１の上方への変位を規制している。囲繞体１６と上揚防止片２２は一体に形成しても良いし、別体としてボルト等で固定しても良いが、荷重が作用した際に固定部材１７よりも先に破損しないように結合強度を調整する。
【００１８】
固定部材１７を破損させる予め設定した外力の大きさとしては、例えば、大地震が発生した際に支承装置１０１（固定部材１７）に作用すると想定される外力の大きさを設定する。これにより、大地震が発生して、支承装置１０１に許容範囲を超える外力が作用すると固定部材１７が破損する。
【００１９】
この実施形態では、弾性体１３の側面には凸部１４と凹部１５が設けられ、凸部１４の先端が囲繞体１６の内周面１６ａに当接するように配置されている。そのため、支承体に圧縮荷重が載荷されていない状態では、囲繞体１６の内周面１６ａと弾性体１３の外周面との間には隙間Ｇａを有する構成になっている。
【００２０】
支承体に圧縮荷重が載荷されて、弾性体１３（ゴム層１３ａ）が外周側に膨出変形すると囲繞体１６の内周面１６ａに接触してそれ以上の膨出変形が拘束される。即ち、この支承装置１０１は、弾性体１３の膨出変形が囲繞体１６により拘束されるまではゴム支承と同様に鉛直変位し、膨出変形が囲繞体１６により拘束され始めると鉛直変位が抑制される。囲繞体１６の内周面１６ａと弾性体１３の外周面との隙間が、膨出変形した弾性体１３により充填された状態になると、殆ど鉛直変位が無くなって、実質的に金属支承と同様の高弾性特性を発揮する。なお、弾性体１３の外周面を平坦な形状とし、圧縮荷重の非載荷時に囲繞体１６の内周面１６ａとの間に若干の隙間ができるように配置しても同様な効果を得ることができる。また、囲繞体１６は弾性体１３の膨出変形を拘束しないものであってもよい。
【００２１】
囲繞体１６の上面の外周面近傍には視認性向上部材３０が固定されている。視認性向上部材３０は上沓１１の下面に形成された凹部１１ａに収容されている。この実施形態では視認性向上部材３０の形状は直方体状としてあり、凹部１１ａは視認性向上部材３０を収容できる形状としてある。
【００２２】
図１（Ｂ）は、視認性向上部材３０の平面的な配置を示す図である。この例では、囲繞体１６の外周面と視認性向上部材３０の予着色部３１が形成されている面が概ね一致するように、囲繞体１６の外周面に沿って８個の視認性向上部材３０が配置されている。この例では、囲繞体１６外周の全域に視認性向上部材３０を配置したが、橋台のパラペットに対向する位置など通常視認することが困難な位置には視認性向上部材３０を配置しないようにしても良く、逆に、囲繞体１６の外周の全域に亘って連続的に設けられる視認性向上部材３０としても良い。
【００２３】
視認性向上部材３０の外周側の面には、予着色部３１が形成されている。予着色部３１は、支承装置１０１の他の部分、特に過大入力時において予着色部３１の近傍に位置する部分、と色彩が異なる部分である。予着色部３１の構成は、人が他の部分と異なる色彩を認識できればよく、例えば、他の部分とは色彩の異なる材料、通常の塗料による塗装、蛍光性の塗料による塗装、燐光性の塗料による塗装、ＬＥＤ等の発光体、反射テープを含むリフレクタ、構造色を生じさせる加工等により構成することができる。
【００２４】
視認性向上部材３０の形状は、予着色部３１を形成することができれば円柱状、板状、リング状等の直方体以外の形状とすることもできる。その配置位置も、常時において上沓１１に収容でき、過大入力時に囲繞体１６の変位に伴って露出する位置であれば図１（Ｂ）と異なっていても良い。
【００２５】
この実施形態では、視認性向上部材３０の一側面の全体を着色することにより予着色部３１を形成しているが、面の一部を着色するようにしても良い。この場合、着色する部分の形状を文字や記号を表すようにしても良い。また、他の側面についても同様に着色しても良い。
【００２６】
図２と図３は、支承装置１０１の動作を説明する図であり、図２（Ａ）は常時の断面図、図２（Ｂ）は過大入力発生時の断面図、図３（Ａ）は常時の外観図、図３（Ｂ）は過大入力発生時の外観図である。
【００２７】
常時には、囲繞体１６は固定部材１７により上沓１１に固定され、囲繞体１６の上面と上沓１１の下面は当接している。視認性向上部材３０は凹部１１ａに収容され、予着色部３１は視認不可能な状態となっている。
【００２８】
過大入力発生時には、固定部材１７が破断して囲繞体１６は変位し、囲繞体１６の下面は下沓１２の上面に当接する。視認性向上部材３０に形成された予着色部３１は、囲繞体１６と共に変位し、予着色部３１は上沓１１の下面と囲繞体１６の上面の間の空間に位置するようになり、予着色部３１は観察者が視認できるようになる。
【００２９】
過大入力発生時には、予着色部３１の近傍に位置する部材は上沓１１と囲繞体１６となる。そのため、予着色部３１の色彩は、観察者の視覚で上沓１１及び囲繞体１６と区別し易い色彩とするのが好ましい。例えば、上沓１１と囲繞体１６が白色、黒色、灰色等である場合、彩度の低い色彩に塗装される場合、溶融亜鉛メッキされることにより銀色を呈している場合には、赤色、オレンジ色、黄色、緑色、青色やこれらに類似した色彩等の上沓１１及び囲繞体１６と彩度の異なる色彩とするのが好ましい。
【００３０】
支承装置１０１によれば、常時には凹部１１ａに収容され視認不可能である予着色部３１（判別部の一例）が過大入力発生時に囲繞体１６と共に変位して上沓１１の下面と囲繞体１６の上面との間に位置するようになり視認可能となる。そのため、観察者は、上沓１１の下面と囲繞体１６の上面との間の部分の色彩の変化により、暗くて狭い場所でも支承装置１０１が破損し或いは交換が必要な状態となった（以下「破損等した」という）ことを容易に確認することができる。
【００３１】
＜第２実施形態＞
本発明の第２実施形態である支承装置１０２について説明する。第１実施形態と共通する部分は、図面に第１実施形態と同一の符号を付して説明を省略する。
図４と図５は、支承装置１０２の動作を説明する図であり、図４（Ａ）は常時の断面図、図４（Ｂ）は過大入力発生時の断面図、図５（Ａ）は常時の外観図、図５（Ｂ）は過大入力発生時の外観図である。
【００３２】
支承装置１０２は、上沓１１の下面の外周部に固定され可視光に対して不透明となるように構成された遮蔽部材３５を備えている。遮蔽部材３５は、囲繞体１６の外周面の上側の一部を遮蔽している。囲繞体１６の外周面の上部の遮蔽部材３５により遮蔽される部分に帯状の予着色部３４が形成されている。
【００３３】
常時には、予着色部３４は遮蔽部材３５によって完全に遮蔽され、観察者は予着色部３４を視認することができない。過大入力発生時には、囲繞体１６が変位し、それに伴って予着色部３４は、上沓１１に固定されていて変位しない遮蔽部材３５の下端よりも下に位置するように変位する。そのため、観察者は、予着色部３４を視認できるようになる。
【００３４】
予着色部３４は、囲繞体１６の外周面の任意の部分、例えば、全周にわたって連続的又は断続的に設けることができるが、図４、図５に示したように、外周面の上端付近に設けると遮蔽部材３５を小さくすることができる。
【００３５】
支承装置１０２によれば、常時には視認不可能であった予着色部３４（判別部の一例）が過大入力発生時に囲繞体１６と共に変位し視認可能となる。そのため、観察者は、囲繞体１６の外周面の一部の色彩の変化により、暗くて狭い場所でも支承装置１０２が破損等したことを容易に確認することができる。
【００３６】
支承装置１０２によれば、上沓１１に凹部を形成する必要がないため、第１実施形態に比べて上沓の加工が容易となる。また、予着色部３４と遮蔽部３５は、既設の支承装置に対しても容易に追加するこができる。
【００３７】
＜第３実施形態＞
本発明の第３実施形態である支承装置１０３について説明する。第１実施形態と共通する部分は、図面に第１実施形態と同一の符号を付して説明を省略する。図６と図７は、支承装置１０３の動作を説明する図であり、図６（Ａ）は常時の断面図、図６（Ｂ）は過大入力発生時の断面図、図７（Ａ）は常時の外観図、図７（Ｂ）は過大入力発生時の外観図である。
【００３８】
支承装置１０３の上沓１１の下面の外周付近には全周にわたって凹部１１ｂが形成されている。また、囲繞体１６の上面の外周付近には全周にわたってリング状の凸部１６ｂが形成されている。凸部１６ｂの外周面の全体に予着色部３８が形成されている。
【００３９】
この実施形態では、囲繞体１６と凸部１６ｂは一体に形成しているが、別体として溶接、ねじ締結、接着等で両者を結合するようにしても良い。また、凸部１６ｂの形状は、リング状以外の形状とすることができる。また、この実施形態においても、予着色部３８は凸部１６ｂの外周面の一部にだけ形成しても良い。
【００４０】
常時には、凸部１６ｂは凹部１１ｂに収容されており、予着色部３８は視認不可能となっている。過大入力発生時には、着色部３８は囲繞体１６と共に変位し上沓１１の下面よりも下に位置するようになり、視認可能となる。
【００４１】
支承装置１０３によれば、常時には凹部１１ｂに収容されて視認不可能である予着色部３８（判別部の一例）が過大入力発生時に囲繞体１６と共に変位して上沓１１の下面より下に位置するようになり視認可能となる。そのため、観察者は、上沓１１の下面と囲繞体１６の上面との間の部分の色彩の変化により、暗くて狭い場所でも支承装置１０３が破損等したことを容易に確認することができる。
【００４２】
＜第４実施形態＞
本発明の第４実施形態である支承装置１０４について説明する。第１実施形態と共通する部分は、図面に第１実施形態と同一の符号を付して説明を省略する。
図８と図９は、支承装置１０４の動作を説明する図であり、図８（Ａ）は常時の断面図、図８（Ｂ）は過大入力発生時の断面図、図９（Ａ）は常時の外観図、図９（Ｂ）は過大入力発生時の外観図である。
【００４３】
支承装置１０４の弾性体１３は側面に凹凸が形成されておらず、弾性体１３の外周面の上端付近及び上プレート１３ｃの外周面には全周にわたって帯状の予着色部４０が形成されている。
【００４４】
常時には、予着色部４０は囲繞体１６に遮られているため観察者が視認することができなくなっている。過大入力発生時には、囲繞体１６が変位し、予着色部４０を観察者が上沓１１と囲繞体１６の間から視認できるようになる。
【００４５】
この実施形態においても、予着色部４０は弾性体１３の外周面と上プレート１３ｃの外周面の過大入力発生時に視認可能となる部分４１の一部にだけ形成しても良い。
【００４６】
支承装置１０４によれば、弾性体１３の側面に形成され常時は視認できない予着色部４０（判別部の一例）が、過大入力発生時に囲繞体１６が変位することにより視認可能となる。そのため、観察者は、上沓１１の下面の下の部分の色彩の変化により、暗くて狭い場所でも支承装置１０４が破損等したことを容易に確認することができる。
【００４７】
支承装置１０４によれば、各部品の形状を変更したり追加の部品を配置したりすることなく、予着色部４０を形成するだけで容易に破損確認性を向上させた支承装置を作製することができる。
【００４８】
＜第５実施形態＞
本発明の第５実施形態である支承装置１０５について説明する。第１実施形態と共通する部分は、図面に第１実施形態と同一の符号を付して説明を省略する。図１０と図１１は、支承装置１０５の動作を説明する図であり、図１０（Ａ）は常時の断面図、図１０（Ｂ）は過大入力発生時の断面図、図１１（Ａ）は常時の外観図、図１１（Ｂ）は過大入力発生時の外観図である。
【００４９】
支承装置１０５の上沓１１の下面には、下方に突出する突出部１１ｃが形成されている。突出部１１ｃの平面的な形状は、弾性体１３及び上プレート１３ｃと同一である。突出部１１ｃは、常時においては囲繞体１６の内部に収容され、その下面が上プレート１３ｃと当接している。突出部１１ｃの外周面には全周にわたって帯状の予着色部４２が形成されている。
【００５０】
常時には、予着色部４２は囲繞体１６に遮られているため視認不可能となっている。過大入力発生時には、囲繞体１６が変位し、観察者は予着色部４２を上沓１１の下面と囲繞体１６の上面の間から視認できるようになる。
【００５１】
この実施形態においても、予着色部４２を突出部１１ｃの外周面の一部にだけ形成しても良い。
【００５２】
支承装置１０５によれば、突出部１１ｃの側面に形成され常時は視認不可能な予着色部４２（判別部の一例）が、過大入力発生時に囲繞体１６が変位することにより視認可能となる。そのため、観察者は、上沓１１の下面の下の部分の色彩の変化により、暗くて狭い場所でも支承装置１０５が破損等したことを容易に確認することができる。
【００５３】
＜第６実施形態＞
本発明の第６実施形態である支承装置１０６について説明する。第１実施形態と共通する部分は、図面に第１実施形態と同一の符号を付して説明を省略する。図１２と図１３は、支承装置１０６の動作を説明する図であり、図１２（Ａ）は常時の断面図、図１２（Ｂ）は過大入力発生時の断面図、図１３（Ａ）は常時の外観図、図１３（Ｂ）は過大入力発生時の外観図である。
【００５４】
支承装置１０６の芯材２１の外周面の下部の常時において視認可能な部分４５には全周にわたって帯状の予着色部４４が形成されている。
【００５５】
常時には、予着色部４４を観察者が下沓１２の上面と囲繞体１６の下面の間から視認できる。過大入力発生時には、囲繞体１６が変位し予着色部４４は囲繞体１６に遮られて視認不可能となる。
【００５６】
この実施形態においても、予着色部４４を常時において視認可能な部分４５の一部にだけ形成しても良い。
【００５７】
支承装置１０６によれば、芯材２１の外周面に形成され常時は視認可能な予着色部４４（判別部の一例）が、過大入力発生時に囲繞体１６が変位することにより視認不可能となる。そのため、観察者は、下沓１２の上面の上の部分の色彩の変化により、暗くて狭い場所でも支承装置１０６が破損等したことを容易に確認することができる。
【００５８】
また、支承装装置１０６によれば、各部品の形状を変更したり追加の部品を配置したりすることなく、予着色部４４を形成するだけで容易に支承装装置１０６を作製することができる。また、既設の支承装置に予着色部４４を形成することも容易にできる。
【００５９】
＜第７実施形態＞
本発明の第７実施形態である支承装置１０７について説明する。第１実施形態と共通する部分は、図面に第１実施形態と同一の符号を付して説明を省略する。図１４と図１５は、支承装置１０７の動作を説明する図であり、図１４（Ａ）は常時の断面図、図１４（Ｂ）は過大入力発生時の断面図、図１５（Ａ）は常時の外観図、図１５（Ｂ）は過大入力発生時の外観図である。
【００６０】
支承装置１０７の上沓１１の下面の囲繞体１６の外周面付近には、全周にわたって溝状の凹部１１ｄが形成されている。凹部１１ｄには中空のリング状であり、内部に色素５０を収容する色素収容部５１が配置されている。色素収容部５１の上端５２は上沓１１の下面に、下端５３は囲繞体１６の上面に、例えば接着剤により、それぞれ固定されている。
【００６１】
過大入力発生時には、囲繞体１６が変位することによって色素収容部５１には上下方向の引張力が作用する。上端５２及び下端５３の固定は強固にしてあるため、接着の破壊よりも壁体５１ａの破断が先に起こり色素収容部５１には開口部５１ｂが生じる。色素５０は図１４（Ｂ）の矢印Ａに示すように落下し、囲繞体１６の上面と外周面に着色部５４が形成される。
【００６２】
色素５０としては、液状の塗料、粉体、粒状体のいずれの形態のものを用いても良いが、塗料の場合は粘性が低いもの、粉体又は粒状体の場合は囲繞体１６に付着しやすいものが好ましい。また、色素５０が発色する態様としては、減色、蛍光、燐光、反射のいずれでも良い。特に、光を照射すると反射する反射性材料（金属粒子やガラス粒子）を色素５０に含有させることが好ましい。色素５０が、反射性材料を含有していると、光を照射すれば、着色部５４がより確実、かつ、容易に視認できる。
【００６３】
色素５０の色は第１の実施形態の予着色部と同様に、着色部５４が形成される部品（この実施形態では囲繞体１６）と異なる色とし、観察者がその部品とはっきり区別することができる色とするのが好ましい。
【００６４】
この実施形態では、色素収容部５１の壁体５１ａの破断により色素５０が流出するように構成したが、これとは異なる構成、例えば、色素収容部５１に開口部と、この開口部をふさぐ栓、蓋体等の封止体を設け、囲繞体１６の変位に伴って封止体が外れる構成等とすることもできる。色素収容部５１の形状と平面的な配置も、この実施形態とは異なるものとすることができる。例えば、色素収容部をボール状、直方体状等とし間隔を空けて複数配置しても良い。
【００６５】
支承装置１０７によれば、過大入力発生時に色素収容部５１から流出した色素５０により着色部５４（判別部の一例）が囲繞体１６の上面及び外周面に形成される。そのため、観察者は囲繞体１６の上面及び外周面の色彩の変化により、暗くて狭い場所でも支承装置１０７が破損等したことを容易に確認することができる。
【００６６】
また、支承装置１０７によれば、常時においては色素収容部５１は凹部１１ｄの中に収容されているから、いたずら等を受け難く、また、大気中に露出している場合に比べて壁体５１ａや色素５０の劣化を抑制することができる。
【００６７】
＜第８実施形態＞
本発明の第８実施形態である支承装置１０８について説明する。第１及び第７実施形態と共通する部分は、図面に第１、第７実施形態と同一の符号を付して説明を省略する。図１６と図１７は、支承装置１０８の動作を説明する図であり、図１６（Ａ）は常時の断面図、図１６（Ｂ）は過大入力発生時の断面図、図１７（Ａ）は常時の外観図、図１７（Ｂ）は過大入力発生時の外観図である。
【００６８】
色素収容部５６は断面の外形が長方形で中空の部材である。色素収容部５６は常時において上沓１１の下面と囲繞体１６の上面とにより形成される隅角部に全周にわたって配置されている。色素収容部５６の壁面のうち露出している二面（図１６では左側面と下面）は遮蔽部５６ａで可視光に対して不透明となるように構成され、内部の色素５０は視認できなくなっている。また、遮蔽部５６ａの色は上沓１１及び囲繞体１６と同じか近似したものとするのが好ましい。色素収容部５６の壁面のうち上沓１１に当接する面（図１６では上面）と囲繞体１６に当接する面（図１６では右側面）は係合部５６ｂであり、上沓１１の下面と囲繞体１６の外周面に固定されている。
【００６９】
過大入力発生時には、囲繞体１６が変位することによって色素収容部５６には引張力や剪断力が作用し、係合部５６ｂの一部が破断して開口部５６ｃが形成される。色素５０は、開口部５６ｃから流出して図１６（Ｂ）の矢印Ｂのように落下し、囲繞体１６の上面と外周面に着色部５７が形成される。色素収容部５６の形状と平面的な配置は、この実施形態とは異なるものとすることができる。例えば、色素収容部をボール状、直方体状等とし間隔を空けて複数配置しても良く、環状等のような周回状に連続した色素収容部５６としても良い。
【００７０】
支承装置１０８によれば、過大入力発生時に色素収容部５６から流出した色素５０により着色部５７（判別部の一例）が囲繞体１６の上面及び外周面に形成される。そのため、観察者は囲繞体１６の上面及び外周面の色彩の変化により、暗くて狭い場所でも支承装置１０８が破損等したことを容易に確認することができる。また、支承装置１０８によれば、上沓１１と囲繞体１６には溝等を形成する必要がなく、容易に色素収容部５６を追加することができる。また、色素収容部５６は、既設の支承装置にも容易に追加するこができる。
【００７１】
＜第９実施形態＞
本発明の第９実施形態である支承装置１０９について説明する。第１及び第７実施形態と共通する部分は、図面に第１、第７実施形態と同一の符号を付して説明を省略する。図１８は、支承装置１０９の動作を説明する図であり、図１８（Ａ）は常時の断面図、図１８（Ｂ）は過大入力発生時の断面図である。図１９（Ａ）、図１９（Ｂ）は色素収容部６０の拡大断面図である。図２０は、支承装置１０９の動作を説明する図であり、図２０（Ａ）は常時の外観図、図２０（Ｂ）は過大入力発生時の外観図である。
【００７２】
囲繞体１６の外周面の上端には全周にわたって断面長方形の切欠１６ｃが形成されている。この切欠１６ｃには、第７の実施形態と同様の中空円環状の色素収容部６０が配置されている。色素収容部６０は、切欠１６ｃの底面１６ｄ上に置かれ、上端６０ａは上沓１１の下面に固定されている。色素収容部６０には、円周方向に等間隔に８個の孔（図示せず）が設けられ、それぞれの孔には栓６２（封止体の一例）が設けられている。栓６２には紐６３（接続部材の一例）の一端が固定され、紐６３の他端は囲繞体１６に固定されている。
【００７３】
過大入力発生時に囲繞体１６が変位すると、紐６３は下方に引かれて色素収容部６０の孔から栓６２が外れる。色素５０は、図１８（Ｂ）の矢印Ｃのように流出し切欠１６ｃと囲繞体１６の外周面の栓６２に対応する位置に着色部６１が形成される。
色素５０が流下し易くなるように、切欠部１６ｃの底面１６ｄに外側が下になるような傾斜をつけても良い。また、図１９（Ｂ）に示すように、底面１６ｄから囲繞体１６の外周面に貫通する貫通孔１６ｆを設けても良い。
また、第７実施形態と同様に、栓６２を設ける代わりに、色素収容部６０の下部を囲繞体１６に固定し、この固定部分が囲繞体１６の変位に伴って破断するようにしても良い。
【００７４】
支承装置１０９によれば、過大入力発生時に色素収容部６０から流出した色素５０により着色部６１（判別部の一例）が囲繞体１６の上面及び外周面に形成される。そのため、観察者は囲繞体１６の上面及び外周面の色彩の変化により、暗くて狭い場所でも支承装置１０９が破損等したことを容易に確認することができる。
【００７５】
図２１（Ａ）は、第９実施形態の変形例で、色素収容部６０を上沓１１の下面に形成した凹部１１ｅ内に配置したものである。色素収容部６０は上沓１１に固定され紐６３の他端は囲繞体１６の上面に固定されている。
【００７６】
図２１（Ｂ）は、第９実施形態の他の変形例で、色素収容部６０を囲繞体１６の上面に形成した凹部１６ｅ内に配置したものである。色素収容部６０は上沓１１の下面に固定され紐６３の他端は凹部１６ｅの上面に固定されている。そして、色素５０が凹部１６ｅから流出できるように、凹部１６ｅの底面から囲繞体１６の外周面に貫通する貫通孔１６ｆが形成されている。着色部６１は、囲繞体１６の外周面の貫通孔１６ｆの端部よりも下の位置に形成される。
【００７７】
色素収容部６０を図２１（Ａ）、（Ｂ）のように配置にすると、いたずら等を受けにくく、また、大気中に露出している場合に比べて色素収容部６０の壁体や色素５０の劣化を抑制することができる。
【００７８】
＜第１０実施形態＞
本発明の第１０実施形態である支承装置１１０について説明する。第１実施形態と共通する部分は、図面に第１実施形態と同一の符号を付して説明を省略する。図２２は支承装置１１０の動作を説明する図で、（Ａ）は常時、（Ｂ）は過大入力発生時、（Ｃ）は変形例の常時、（Ｄ）は変形例の過大入力発生時の状態を示す図である。
【００７９】
常時には、上沓１１に形成された凹部１１ｅに収縮した状態のコイルバネ、蛇腹等の伸張体７０が配置されている。伸張体７０は上沓１１及び囲繞体１６とは異なる色に着色されているが、凹部１１ｅ内に配置されているので、実質的には視認できない。
【００８０】
伸張体７０の上端は上沓１１の下面に紐等で固定されている。伸張体７０の固定は、下端を囲繞体１６に固定するようにしても良い。過大入力発生時には、囲繞体１６が変位することにより伸張体７０は伸張し、外部から視認できるようになる。すなわち、伸張体７０自体によって着色部７１を形成する。
【００８１】
支承装置１１０の変形例として、図２２（Ｃ）に示すように、囲繞体１６の上面に凹部１６ｅを形成して、常時には凹部１６ｅに伸張体７０を収容するようにしても良い。図２２（Ｄ）に示すように、過大入力発生時には伸張体７０が伸張し外部から視認できるようになる。
【００８２】
支承装置１１０によれば、常時には凹部１１ｅ又は凹部１６ｅ収縮した状態で収容されていた伸張体７０（判別部の一例）が過大入力発生時には伸張して外部から視認可能となる。そのため、観察者は上沓１１の下面と囲繞体１６の上面の間の部分の色彩の変化により、暗くて狭い場所でも支承装置１１０が破損等したことを容易に確認することができる。
【００８３】
＜第１１実施形態＞
本発明の第１１実施形態である支承装置１１１について説明する。第１及び第７実施形態と共通する部分は、図面に第１、第７実施形態と同一の符号を付して説明を省略する。図２３と図２４は、支承装置１１１の動作を説明する図であり、図２３（Ａ）は常時の断面図、図２３（Ｂ）は過大入力発生時の断面図、図２４（Ａ）は常時の外観図、図２４（Ｂ）は過大入力発生時の外観図である。
【００８４】
常時においては、囲繞体１６の下面と下沓１２の上面との間の空間に外形がトーラス環状で中空の色素収容部７４が周方向に所定の間隔を空けて複数個配置されている。
【００８５】
図２５に示すように、下沓１２の上面の外縁部には全周にわたって円周方向に延在する円環溝１２ａが、その内側には全周にわたって円周方向に延在する円環溝１２ｂが形成されている。更に、円環溝１２ａと円環溝１２ｂを接続するように複数の放射状溝１２ｃが下沓１２の直径方向に配置されている。円環溝１２ａの外側には平坦部１２ｅが残されている。色素収容部７４は、円環溝１２ａ、１２ｂと放射状溝１２ｃにより囲まれた平坦部１２ｄにそれぞれ１個配置されている。
【００８６】
過大入力発生時に囲繞体１６が変位すると色素収容部７４は圧壊し、色素５０は円環溝１２ａ、１２ｂ、放射状溝１２ｃに流出しこれらの溝に着色部７５が形成される。なお、溝を全く形成せずに、下沓１２の上面と外周面に着色部７５が形成されるようにしても良い。色素収容部７４の形状としては、球形、直方体、リング状等のような周方向に断続的に配設されるものの他に、囲繞体１６と同軸を成すトーラス環を含む環状体等のような周方向に連続した中空の色素収容部を構成することもできる。また、色素収容部７４の上端部は常時においては囲繞体１６の下面に当接していなくても良い。
【００８７】
本実施形態では、色素収容部７４が圧壊することにより色素５０が流出する構成としたが、他の構成、例えば、囲繞体１６又は下沓１２に配置された突起や針により色素収容部７４に穴を開ける構成等としても良い。
【００８８】
支承装置１１１によれば、過大入力発生時に色素収容部７４から流出した色素５０により着色部７５（判別部の一例）が円環溝１２ａ、１２ｂと放射状溝１２ｃに形成される。そのため、観察者は下沓１２の上面の色彩の変化により、暗くて狭い場所でも支承装置１１１が破損等したことを容易に確認することができる。
【００８９】
＜第１２実施形態＞
本発明の第１２実施形態である支承装置１１２について説明する。第１及び第７実施形態と共通する部分は、図面に第１、第７実施形態と同一の符号を付して説明を省略する。図２６と図２７は、支承装置１１２の動作を説明する図であり、図２６（Ａ）は常時の断面図、図２６（Ｂ）は過大入力発生時の断面図、図２６（Ｃ）は常時の拡大断面図、図２７（Ａ）は常時の外観図、図２７（Ｂ）は過大入力発生時の外観図である。
【００９０】
囲繞体１６の下面と下沓１２の上面との間の隙間の外縁付近にリング状で中空の色素収容部７８が配置されている。十分な広さの着色部７９を形成するためには、色素収容部７８が所定量以上の体積の色素５０を収容できる必要があるが、この例では断面の直径を大きく取ることで所要の体積を確保している。そのため、囲繞体１６の下面に切欠１６ｇを形成して色素収容部７８を配置するスペースを確保している。
【００９１】
過大入力発生時に囲繞体１６が変位すると色素収容部７８は囲繞体１６に押し潰されて扁平な楕円形状に変形する。下沓１２の上面の色素収容部７８が配置される位置には凹部１２ｆが設けられ、この凹部１２ｆの中央に突起１２ｇが形成されている。囲繞体１６による圧縮力だけでは色素収容部７８が圧壊しない場合でも、突起１２ｇが色素収容部７８に突き刺さることによって孔を形成する。このような構成とすることにより、色素５０の流出を確実にしている。流出した色素５０により下沓１２の上面の外縁部及び下沓１２の外周面に着色部７９が形成される。
【００９２】
支承装置１１２によれば、過大入力発生時に色素収容部７８から流出した色素５０により着色部７９（判別部の一例）が下沓１２の上面及び外周面に形成される。そのため、観察者は下沓１２の上面及び外周面の色彩の変化により、暗くて狭い場所でも支承装置１１２が破損等したことを容易に確認することができる。
【００９３】
図２８（Ａ）は第１２実施形態の変形例を説明する図である。この例では、囲繞体１６の下面に凹部１６ｈが形成され、その中に色素収容部７８が収容されている。下沓１２の上面には突起１２ｈが形成され、過大入力発生時には、この突起１２ｈにより色素収容部７８に孔が形成され色素５０が流出する。
【００９４】
図２８（Ｂ）は第１２実施形態の他の変形例を説明する図である。この例では、下沓１２の上面に凹部１２ｉが形成され、その中に色素収容部７８が収容されている。囲繞体１６の下面には突起１６ｉが形成され、過大入力発生時には、この突起１６ｉにより色素収容部７８に孔が形成され色素５０が流出する。凹部１２ｉの底面から下沓１２の外周面に貫通する貫通孔１２ｊが形成され、色素収容部７８から流出した色素５０により、下沓１２の外周面の貫通孔１２ｊより下の位置に着色部７９が形成される。
【００９５】
＜第１３実施形態＞
本発明の第１３実施形態である支承装置１１３について説明する。この実施形態は、色素収容部に収容された色素を過大入力発生時に流出させて着色部を形成する点では、第７実施形態等と同様であるが、囲繞体１６のように過大入力発生時に意図的に大きく変位させる部材がない支承装置にも適用できるようにしたものである。
【００９６】
図２９は支承装置１１３の常時の断面図である。支承装置１１３は、上部構造物１に固定される上沓９１と、下部構造物２に固定される下沓９２と、上沓９１と下沓９２の間に配置され合成ゴム等、或いは、ゴムと鉄や樹脂等から成る剛性体とを積層して形成される弾性体９３と、弾性体９３の上面及び側面を覆う上プレート９４と、弾性体９３の下面及び側面を覆う下プレート９５と、上沓９１、上プレート９４、弾性体９３、下プレート９５の中心部を貫通して下沓９２に固定される芯材９６とを備えている。このような構成とすることにより、支承装置全体の高さを抑えている。
【００９７】
弾性体９３の周囲には内部に色素５０を収容した色素収容部９７が配置されている。色素５０は第７の実施形態と同様であるから説明を省略する。図３０は色素収容部９７の断面図である。色素収容部９７は、環状をなす壁面によって内外が画成された断面を有し、壁面には壁面の厚みを薄肉化する切欠部が形成されている。この例では、色素収容部９７の断面形状は概ね長方形であり、四周が所定の厚みを持つ壁面９７ａで構成され、その内部は色素５０を収容する空間となっている。壁面９７ａの両側面部分には三角形形状の切欠９７ｂが２個ずつ形成されている。また、壁面９７ａの下面部分には台形状の凸部９７ｄが形成され、凸部９７ｄの基部には二つの切欠９７ｃが形成されている。色素収容部９７の壁面９７ａの上面部分が上沓９１の下面に、凸部９７ｄの下端が下沓９２の上面にそれぞれ当接している。
【００９８】
過大入力発生時には、過大な水平力が作用したり過大な水平変位が生じた場合には切欠９７ｂの部分を起点として色素収容部９７が開封され、過大な鉛直力が作用したり過大な鉛直変位が生じた場合には切欠９７ｃの部分を基点として色素収容部９７が開封され、色素５０が漏出する。すなわち、側面と底面に切欠を設けることにより、どのような方向の荷重、変位に対しても確実に色素５０を漏出させることができる。過大入力発生時には、色素５０が色素収容部９７から漏出して下沓９２の上面の外縁部と外周面に着色部９８が形成される。
【００９９】
図３１（Ａ）は、色素収容部９７の平面的な配置を示す図である。長方形の下沓９２の上に、互いの中心が一致するように円形の弾性体９３と上プレート９４が配置されている。２個の円弧状の色素収容部９７が、その内側の側面が上プレート９４と弾性体９３の外周面に当接するように、全周にわたって配置されている。過大入力発生時には、色素収容部９７の周囲に着色部９８が円環状に形成される。このように、色素収容部９７を２個に分けることによって、既設の支承装置に対しても容易に色素収容部９７を追加することができる。
【０１００】
図３１（Ｂ）は、サイドブロック１２０が配置されている場合の色素収容部９７の平面的な配置例を示す図である。橋軸直角方向の移動を規制するために２個のサイドブロック１２０が上下のプレート９４、９５及び弾性体９３に当接するように配置されている。２個の色素収容部９７がサイドブロック１２０と干渉しない位置に配置されている。過大入力発生時には、色素収容部９７の外側に円弧状の着色部９８が形成される。なお、サイドブロック１２０その他の干渉する部品がない場合にも、色素収容部９７を間隔を開けて複数個配置しても良い。
【０１０１】
支承装置１１３によれば、過大入力発生時に色素収容部９７から流出した色素５０により着色部９８（判別部の一例）が下沓９２の上面及び外周面に形成される。そのため、観察者は下沓９２の上面及び外周面の色彩の変化により、暗くて狭い場所でも支承装置１１３が破損等したことを容易に確認することができる。
【０１０２】
なお、本実施形態は、上下のプレート９４、９５及び芯材９６の一方又は両方を備えていない支承装置に対しても適用することができる。
【０１０３】
図３２は、色素収容部９７の変形例を説明する図である。色素収容部９９の基本的構造は色素収容部９７と同じであり、断面外形が長方形状の壁面９９ａの内部に色素５０を収容し、壁面９９ａには切欠９９ｂ、９９ｃと凸部９９ｄが形成されている。色素収容部９９は、色素収容部９７と同様にその一方の側面が弾性体９３の外周に当接するように配置される。壁面９９ａの上端には外側に突出する上固定部９９ｅが、凸部９９ｄの下端には外側に突出する下固定部９９ｇがそれぞれ形成されている。上固定部９９ｅにはボルト孔９９ｆが形成され、上固定部９９ｅはボルトにより上部構造物１の下面に固定される。下固定部９９ｇにはボルト孔９９ｈが形成され、下固定部９９ｇはボルトにより下部構造物２の上面に固定される。なお、上固定部９９ｅ又は下固定部９９ｇの一方のみを設け、上沓９１又は下沓９２の一方にだけ固定するようにしても良い。
【０１０４】
＜第１４実施形態＞
本発明の第１４実施形態である支承装置１１４について説明する。この実施形態は、色素収容部に収容された色素を過大入力発生時に流出させて着色部を形成する点では、第７実施形態等と同様であるが、弾性体が大きく剪断変形するタイプの支承装置に好適なものである。
【０１０５】
図３３（Ａ）は支承装置１１４の常時の断面図である。支承装置１１４は、単純な積層ゴム沓で上部構造物１に固定される上沓２１１と、下部構造物２に固定される下沓２１２と、上沓２１１と下沓２１２の間に配置される弾性体２１３を備えている。弾性体２１３はゴム層２１３ａと鋼板２１３ｂとが交互に積層されることにより形成されている。支承装置１１４が可動沓である場合は、弾性体２１３が剪断変形することにより上部構造物１が水平方向に移動できる。下沓２１２と弾性体２１３の当接部には色素収容部２２１が配置されている。なお、ここでは、色素収容部２２１は下沓２１２と弾性体２１３の当接部近くに配設されているが、これに限定されるものではなく、弾性体２１３から離れた位置に配設しても良く、また、上沓２１１と弾性体２１３の当接部近くに配設しても良い。
【０１０６】
図３３（Ｂ）は支承装置１１４の過大入力発生時の断面図である。弾性体２１３が大きく剪断変形し、上部構造物１が下部構造物２に対して右方向に大きく移動している。弾性体２１３の常時の移動量Ｌの許容値は、ゴム層厚をｈ（図３３（Ｂ）ではＨ−４ｔ）とすると形状係数にもよるが２．５ｈ程度であるが、図３３（Ｂ）はこれを越えて弾性体２１３が過大に剪断変形した状態を示している。色素収容部２２１の、下沓２１２の上面と弾性体２１３の外周面との成す角度が鋭角となる側の部分は、弾性体２１３に押圧されて開封する。色素５０は色素収容部２２１から流出して下沓２１２の上面と側面に着色部２２２が形成される。
【０１０７】
図３４（Ａ）は色素収容部２２１の常時の断面図、図３４（Ｂ）は色素収容部２２１の過大入力発生時の断面図である。色素収容部２２１の外形は中空の長方形断面で内部に色素５０を収容する本体２２１ａの内側側面２２１ｃの下部に突出部２２１ｂを有する形状となっている。突出部２２１ｂの断面形状は、基部（図の右端）の高さよりも先端（図の左側）の高さが小さい台形となっている。
【０１０８】
色素収容部２２１は、過大入力発生時には弾性体２１３に押圧され、下方に圧縮されると共に剪断変形する。このとき、内側側面２２１ｃと突出部上面２２１ｄとのなす角度が大きくなるように変形し、本体２２１ａと突出部２２１ｂとの境界部に亀裂２２１ｅが生じ、ここから色素５０が流出する。
【０１０９】
図３５（Ａ）は、色素収容部２２１の平面的な配置を示す図である。色素収容部２２１は平面形状が円形の弾性体２１４の外周の全周にわたって配置されている。過大入力発生時には、色素収容部２２１の破断した部分の外側に円弧状の着色部２２２が形成される。
【０１１０】
図３５（Ｂ）は、色素収容部２２１の平面的な配置の他の例を示す図である。この例では、色素収容部２２１を短い円弧状として、周方向に間隔を存して１２個配置している。過大入力発生時には、これら１２個の色素収容部２２１のうち、破断したものの外側に着色部２２２が形成される。過大入力発生時には図３３（Ｂ）のように弾性体２１３が大きく剪断変形するが、このような状態となるのは瞬間的或いは短時間だけであり、弾性体２１３は破壊には至らず図３３（Ａ）の状態に戻ることが多い。そのため、着色部２２２の位置で剪断変形が生じた方向を推定する場合、図３５（Ａ）のような配置とした場合には大まかにしか分からないが、図３５（Ｂ）のような配置にすると正確に特定することができる。
【０１１１】
図３５（Ｃ）は、弾性体２１３の平面形状が長方形であり、サイドブロックが配置される場合の色素収容部２２１の平面的な配置例を示す図である。図３５（Ｃ）では左右方向を橋軸方向と想定している。弾性体２１３の橋軸方向に平行な二つの側面には、それぞれサイドブロック２１４が配置されている。弾性体２１３の橋軸方向と垂直な二つの側面のそれぞれ全長にわたって、色素収容部２２１−１が直線状に配置されている。過大入力発生時に、例えば上部構造物１が右方向に大きく変位した場合は、図の右側の色素収容部２２１−１の右側に着色部２２２が形成される。また、二つのサイドブロック２１４の弾性体２１３と当接していない側の側面の両端部には、色素収容部２２１−２が短い直線状に配置されている。色素収容部２２１−１、２２１−２の断面形状は、図３４（Ａ）、（Ｂ）に示したものと同一である。支承装置１１４に過大な橋軸直角方向の荷重が作用しサイドブロック２１４が破損して大きな変形が生じた場合には、色素収容部２２１−２の一部又は全部が破損し、その外側に着色部が形成される。
【０１１２】
支承装置１１４によれば、過大入力発生時に色素収容部２２１から流出した色素５０により着色部２２２（判別部の一例）が下沓２１２の上面及び外周面に形成される。そのため、観察者は下沓２１２の上面及び外周面の色彩の変化により、暗くて狭い場所でも支承装置１１４が破損等したことを容易に確認することができる。また、色素収容部２２１は既設の支承装置にも容易に追加することができる。
【０１１３】
＜第１５実施形態＞
本発明の第１５実施形態である支承装置１１５について説明する。この実施形態は、常時には視認できず過大入力発生時に視認可能となる予着色部を備える点では、第１実施形態等と同様であるが、弾性体が大きく剪断変形するタイプの支承装置に好適なものである。支承装置本体の構成と変形の態様は第１４実施形態と同様であるので、同一の部分には図面に図３３と同一の符号を付して説明を省略する。また、予着色部の形成方法と色彩については、第１実施形態と同様であるから説明を省略する。
【０１１４】
図３６（Ａ）は支承装置１１５の常時の断面図、図３６（Ｂ）は支承装置１１５の過大入力発生時の断面図、図３６（Ｃ）は視認性向上部材２２４の平面的な配置を示す図である。上沓２１１と弾性体２１３が当接する部分には、視認性向上部材２２４が配置されている。この例では、視認性向上部材２２４は弾性体２１３の中心に対して対称な位置に２個配置されている。弾性体２１３の外周面と視認性向上部材２２４との間には、隙間Ｇが設けられている。想定する過大な荷重又は過大な変位に応じて隙間Ｇの大きさを調整する。
【０１１５】
図３７（Ａ）は常時の視認性向上部材２２４の断面図、図３７（Ｂ）は過大入力発生時の視認性向上部材２２４の断面図、図３７（ｃ）は図３７（Ａ）のＸ−Ｘ線での断面図である。図３７（Ａ）の左右方向が支承装置１１５の上沓２１１と下沓２１２が相対的に変位可能な方向（以下「変位方向」という）である。視認性向上部材２２４は、５枚の板状部材２２４−１〜５が積層されることにより構成されている。各板状部材２２４−１〜５の上面には変位方向と平行な方向に延在するアリ溝２２４ａが、下面には下に位置する板状部材のアリ溝２２４ａと嵌合するアリ型２２４ｂがそれぞれ設けられ、落下しないように組み合わされると共に、過大入力発生時には隣接する板状部材が変位方向に相対的な摺動変位ができるように構成されている。なお、アリ溝とアリ型とを嵌合する構造は一例であり、上下に隣接する板状部材同士が変位方向に相対変位できれば他の構造とすることもできる。
【０１１６】
過大入力発生時には、視認性向上部材２２４の右側面が弾性体２１３に押されるため、図３７（Ｂ）のように上の板状部材が下の板状部材に対してアリ溝２２４ａ、アリ型２２４ｂに沿って図３６の右方向にずれる。その結果、各板状部材の上面左端部が視認可能となり、板状部材２２４−２〜５の当該部分に形成されている予着色部２２５が視認可能となる。
【０１１７】
支承装置１１５によれば、常時には視認不可能な着色部２２５（判別部の一例）が、過大入力発生時に板状部材２２４−１〜５が相互にずれることにより視認可能となる。そのため、板状部材２２４−２〜５の上面外側の色彩の変化により、暗くて狭い場所でも支承装置１１５が破損等したことを容易に確認することができる。また、視認性向上部材２２４は、既設の支承装置にも容易に追加することができる。
【０１１８】
図３８は視認性向上部材の変形例を説明する図であり、（Ａ）は常時の断面図、（Ｂ）は過大入力発生時の断面図である。視認性向上部材２２６は、５枚の板状部材２２６−１〜５が変位方向に相対摺動可能に相互に嵌合されて積層されることにより構成され、過大入力発生時に各板状部材が左右にずれる点は、視認性向上部材２２４と同様である。板状部材２２６−１〜４は、それぞれ、下面の左端から下方に突出し、常時には下に位置する板状部材２２６−２〜５の外側側面２２６ｂを覆う遮蔽部２２６ａを備えている。遮蔽部２２６ａの下端は、下に位置する板状部材の下面から遮蔽部２２６ａの厚さ分だけ上の位置で止まっている。過大入力発生時には、遮蔽部２２６ａは時計回りに９０°折れ曲がって捲れ上がり、板状部材２２６−２〜５の外側側面２２６ｂに形成されている予着色部２２７が視認可能となる。
【０１１９】
図３９は視認性向上部材の変形例を説明する図であり、（Ａ）は常時の断面図、（Ｂ）は過大入力発生時の断面図である。視認性向上部材２２８は、５枚の板状部材２２８−１〜５が変位方向に相対摺動可能に相互に嵌合されて積層されることにより構成され、過大入力発生時に各板状部材が左右にずれる点は、視認性向上部材２２４と同様である。板状部材２２８−１〜４は、それぞれ、下面の左端から下方に突出し、常時には下に位置する板状部材２２８−２〜５の外側側面２２８ｂを覆う遮蔽部２２８ａを備えている。遮蔽部２２８ａの下端は、下の板状部材の下端と同じ高さに位置している。そのため、板状部材２２８−ｎの幅は、その下に位置する板状部材２２８−（ｎ−１）の幅に比べて、遮蔽部２２８ａの厚さ分だけ大きくなっている。過大入力発生時には、遮蔽部２２８ａは時計回りに９０°折れ曲がって捲れ上がり、板状部材２２８−２〜５の外側側面２２８ｂに形成されている予着色部２２９が視認可能となる。なお、図３８及び図３９に示した変形例では、遮蔽部材２２６ａ、２２８ａが変形するのではなく、破断して脱落するように構成しても良い。
【符号の説明】
【０１２０】
１  上部構造物、２  下部構造物、３  上部プレート、４、６  摺滑部材、５  下部プレート、１１、９１、２１１  上沓、１２、９２、２１２  下沓、１３、９３、２１３  弾性体、１６  囲繞体、１７  固定部材、２１  芯材、２２  上揚防止片、３０、２２４、２２６、２２８  視認性向上部材、３１、３４、３８、４０、４２、４４、２２５、２２７、２２９  予着色部、３５  遮蔽部材、５０  色素、５１、５６、６０、７４、７８、９７、９９  色素収容部、５４、５７、６１、７１、７５、７９、８１、９８、２２２  着色部
【図１】
2018111999.tif 000003
【図２】
2018111999.tif 000004
【図３】
2018111999.tif 000005
【図４】
2018111999.tif 000006
【図５】
2018111999.tif 000007
【図６】
2018111999.tif 000008
【図７】
2018111999.tif 000009
【図８】
2018111999.tif 000010
【図９】
2018111999.tif 000011
【図１０】
2018111999.tif 000012
【図１１】
2018111999.tif 000013
【図１２】
2018111999.tif 000014
【図１３】
2018111999.tif 000015
【図１４】
2018111999.tif 000016
【図１５】
2018111999.tif 000017
【図１６】
2018111999.tif 000018
【図１７】
2018111999.tif 000019
【図１８】
2018111999.tif 000020
【図１９】
2018111999.tif 000021
【図２０】
2018111999.tif 000022
【図２１】
2018111999.tif 000023
【図２２】
2018111999.tif 000024
【図２３】
2018111999.tif 000025
【図２４】
2018111999.tif 000026
【図２５】
2018111999.tif 000027
【図２６】
2018111999.tif 000028
【図２７】
2018111999.tif 000029
【図２８】
2018111999.tif 000030
【図２９】
2018111999.tif 000031
【図３０】
2018111999.tif 000032
【図３１】
2018111999.tif 000033
【図３２】
2018111999.tif 000034
【図３３】
2018111999.tif 000035
【図３４】
2018111999.tif 000036
【図３５】
2018111999.tif 000037
【図３６】
2018111999.tif 000038
【図３７】
2018111999.tif 000039
【図３８】
2018111999.tif 000040
【図３９】
2018111999.tif 000041